(57)【要約】【課題】従来の除草用三角鍬は全体が概２等辺三角形であり先端が尖っている。先端刃３は打ち込みによる草掘起し作業、２つの削り刃４は地面を滑らせる草削り作業が可能であり、従来の除草用三角鍬はこの２つの機能を有するのみである。除草作業においては打ち込みによる草掘起し作業や刃部を地面に滑らせる草削り作業の他にも押し込みによる草掘起し作業等多くの機能が必要である。本発明は１本で除草に必要な多くの機能を付加した除草用三角鍬の提供を目的とするものである。【解決手段】本発明は除草を目的とした三角鍬の頭部にＶ字状の切り欠き１を付設することにより、頭部に２個の鋭角刃６とＶ字刃５を形成させ除草作業に必要な新機能を生起させることにより、軽快でしかも正確な作業が出来るようにした。【選択図】　　　図１
2004073018.tif 000002
【特許請求の範囲】
【請求項１】
鍬の頭部に鋭角刃（６）が形成されるようにＶ字状の切り欠き（１）を設けることを特徴とした除草用の三角鍬。
【請求項２】
Ｖ字角度（２）が６０〜１５０度である「請求項１」に記載する除草用の三角鍬。
【発明の詳細な説明】
【０００１】
【発明の属する技術分野】
本発明は除草作業に最適な三角鍬に関する。
【０００２】
【従来の技術】
従来の除草用三角鍬は全体が概二等辺三角形であり先端が尖っている。先端刃３は打ち込みによる草掘起し作業、２つの削り刃４は地面を滑らせる草削り作業が可能である。従来の除草用三角鍬はこの２つの機能を有するのみである。
【０００３】
【発明が解決しようとする課題】
除草作業においては打ち込みによる草掘起し作業や刃部を地面に滑らせる草削り作業の他にも必要な多くの機能がある。本発明は１本の鍬に除草の時に必要な多くの機能を付加し、軽快でしかも正確な作業が出来る除草用三角鍬の提供を目的とするものである。
【０００４】
【課題を解決するための手段】
本発明は除草を目的とした三角鍬の頭部にＶ字状の切り欠き１を付設することにより、頭部に２個の鋭角刃６とＶ字刃５を形成させ除草作業に必要な新機能を生起させた。これにより軽快でしかも正確な各種の作業が出来るようにした。
【０００５】
【発明の実施の形態】
三角鍬の頭部は二等辺三角形の底辺部に相当し、他の多くの鍬と同様従来の三角鍬の頭部は特別の機能を有するものではない。またこの三角鍬は万能鍬とも呼ばれており、除草用の鍬として最近よく使われるようになってきている。発明者は様々な鍬に関して新機能を付加する研究を行なっているが、この過程で三角鍬の機能について種々考察し、三角鍬の頭部にＶ字状の切り欠き１を設けることを考えるに至った。
【０００６】
三角鍬の頭部にＶ字状の切り欠き１を設けることで頭部に２個の鋭角刃６とＶ字刃５が形成される。新たに形成された２個の鋭角刃６は従来からある先端刃３が主として打ち込みにより草の根を掘起すのに対し、小さい草や苔・芝生の中の草の根を押し込みにより掘起す等の微妙な除草作業を可能にする。
【０００７】
Ｖ字刃５は、先端刃３で掘起した土のついた草の根等を、三角鍬頭部を下にしてＶ字刃５で抑え草を引くことで土と草を綺麗に分離することを可能にする。更には土の塊をＶ字刃５で軽く叩くと良好な状態で土が解れ花壇や畑の土を元の軟らかい状態に復元出来ることになるなど有用である。
【０００８】
Ｖ字刃５のもう一つの用途は隣接した草花の間引きや必要な草花に隣接して生えている草等を抜取る場合、抜取る草等の根元にＶ字刃５を軽くあてがいＶ形状をガイドとして利用し不必要な草等を抜取ると、必要な草花等の根を痛めずに草抜きの作業が行なえる。この作業は苔の中に生えた草を抜く時も同様であり、苔を軽く抑えてＶ形状をガイドとして草を抜けば、苔を傷めずに草抜きが出来る等有用である。
【０００９】
本発明三角鍬はコンクリート等の構造物と地面との角部の除草作業にも適用できる。削り刃４を地面に鋭角刃６をコンクルリートに当て、削りによる除草作業を行なうと従来の三角鍬ではコンクリートに接触する部分で抵抗があったが、本発明三角鍬ではＶ字状の切り欠きが鋭角刃６に対し逃げ角を形成した役割をはたし、鋭角刃６がコンクリートに点接触することで、抵抗なく滑らかな動きの除草が出来る。
【００１０】
以上の様に本発明の特徴であるＶ字状の切り欠き１の効果は極めて大きく正に除草用の万能鍬として使用することが出来る。
【００１１】
鍬の材料は一般の鉄系材料を使用すればよい。炭素鋼、鉄と鋼を２枚重ねた複合材、鉄と鋼と鉄を３枚サンドイッチ状に重ねた複合材、鉄と刃となる部分の鋼とを鍛接したもの、ステンレス鋼、鋳鉄等のいずれも使用することが出来る。
【００１２】
Ｖ字状の切り欠きを有する本発明三角鍬の大きさは大小を問わない。また、座り作業用で柄の短い片手三角鍬、立ち作業用で柄の長い両手三角鍬のいずれにも適用させることが出来る。
【００１３】
削り刃曲げ角度７は概１２０度程度が使い易いが、作業者の好みにあわせて多少角度調整をしてもよい。しかし１２０度から小さくし過ぎると上記の各種機能が十分生かされなくなるので注意しなければならない。
【００１４】
【実施例】
本発明の詳細を実施例で説明する。本発明はこれら実施例によって何ら限定されるものではない。
【００１５】
実施例１
図２に示す鍬幅８０ｍｍ、鍬長１４０ｍｍ、Ｖ字角度１２０度の三角鍬を、熱処理を施した炭素鋼で製作し、Ｖ字角度１２０度のＶ字状の切り欠きの効果を確認した。鋭角刃６による押し込みによる草掘起こしを試みたが２個の鋭角刃のいずれも左右に傾斜させ良好な除草作業が可能であった。またＶ字刃５による太目の草の根を掘り起こした際の土の分離作業や土の塊の解し作業にも良好な結果が得られた。コンクリート等の構造物と地面との角部の除草作業も軽快にしかも正確に行うことが出来た。
【００１６】
実施例２
実施例１と同じ鍬をＶ字角度７０度で製作しＶ字状の切り欠きの効果を確認した。鋭角刃による押し込みによる草掘起こしを試みたが２個の鋭角刃のいずれも実施例１と同様に良好な除草作業が可能であった。また土の分離作業も同様であった。ただし土の塊の解し作業はＶ字の深さが大きく作業にやや難があった。Ｖ字角度は７０度以下の鋭角にはしない方がよいと結論された。コンクリート等の構造物と地面との角部の除草作業は実施例１と同様であり、Ｖ字角度の影響はあまりないようであった。つまり逃げ角が形成されていれば十分であると結論された。
【００１７】
【発明の効果】
三角鍬の頭部にＶ字状の切り欠き１を設けることで頭部に２個の鋭角刃６とＶ字刃５が形成される。これにより従来の三角鍬が持つ機能に加え、２個の鋭角刃６による小さい草や苔・芝生の中の草を押し込みにより掘起こす機能、Ｖ字刃５による土の分離機能、Ｖ字刃５を利用した草の抜き取り機能、コンクリート等の構造物と地面との角部の除草作業が軽快にしかも正確に行うことができる機能等が付加され除草用鍬として極めて有用である。
【図面の簡単な説明】
【図１】本発明三角鍬の概観図
【図２】本発明三角鍬の正面図
【図３】本発明三角鍬の背面図
【図４】本発明三角鍬の左側面図
【図５】本発明三角鍬の平面図
【図６】実施例１の三角鍬の正面図
【図７】従来の三角鍬の正面図
【符号の説明】
１　切り欠き
２　Ｖ字角度
３　先端刃
４　削り刃
５　Ｖ字刃
６　鋭角刃
７　削り刃曲げ角度
８　シャンク
９　柄
Ａ　鍬幅
Ｂ　鍬長
【図１】
2004073018.tif 000003
【図２】
2004073018.tif 000004
【図３】
2004073018.tif 000005
【図４】
2004073018.tif 000006
【図５】
2004073018.tif 000007
【図６】
2004073018.tif 000008
【図７】
2004073018.tif 000009
【手続補正書】
【提出日】平成14年8月26日(2002.8.26)
【手続補正１】
【補正対象書類名】明細書
【補正対象項目名】０００９
【補正方法】変更
【補正の内容】
【０００９】
本発明三角鍬はコンクリート等の構造物と地面との角部の除草作業にも適用できる。削り刃４を地面に鋭角刃６をコンクリートに当て、削りによる除草作業を行なうと従来の三角鍬ではコンクリートに接触する部分で抵抗があったが、本発明三角鍬ではＶ字状の切り欠きが鋭角刃６に対し逃げ角を形成した役割をはたし、鋭角刃６がコンクリートに点接触することで、抵抗なく滑らかな動きの除草が出来る。


【手続補正２】
【補正対象書類名】図面
【補正対象項目名】図１
【補正方法】変更
【補正の内容】
【図１】
2004073018.tif 000010